(57)【要約】    【課題】  遊技媒体収容箱用電飾装置の使用に要するコストの低減や遊技媒体収容箱用電飾装置による表示効果の向上を図ること。    【解決手段】  本発明では、遊技機（25）で使用する遊技媒体（２）を収容するための遊技媒体収容箱（３）に遊技媒体（２）とともに基端部分を収容し、先端部分に発光部品（６）を配設した遊技媒体収容箱用電飾装置（１）において、前記先端部分を構成する先端側構成体（４）と前記基端部分を構成する基端側構成体（５）とに分離可能に構成し、前記基端側構成体（５）の内部に前記発光部品（６）に電源を供給するための電源部品（７）を収容することにした。【選択図】      図４
2006181234.tif 000002
【特許請求の範囲】
【請求項１】
遊技機で使用する遊技媒体を収容するための遊技媒体収容箱に遊技媒体とともに基端部分を収容し、先端部分に発光部品を配設した遊技媒体収容箱用電飾装置において、
前記先端部分を構成する先端側構成体と前記基端部分を構成する基端側構成体とに分離可能に構成し、前記基端側構成体の内部に前記発光部品に電源を供給するための電源部品を収容したことを特徴とする遊技媒体収容箱用電飾装置。
【請求項２】
前記基端側構成体は、前記電源部品を充電するための充電端子を有することを特徴とする請求項１に記載の遊技媒体収容箱用電飾装置。
【請求項３】
前記基端側構成体は、少なくとも表面又は裏面のいずれか一方に膨出部を形成し、この膨出部に電源部品を収容したことを特徴とする請求項１又は請求項２に記載の遊技媒体収容箱用電飾装置。
【請求項４】
前記先端側構成体は、複数台の遊技機を設置した遊技機設置島に設けた挿入口に挿入できるとともに、遊技機設置島の内部に設けた電源部品と接続できるように構成したことを特徴とする請求項１に記載の遊技媒体収容箱用電飾装置。
【請求項５】
前記先端側構成体は、表裏両面に前記発光部品を配設するとともに、表裏の発光部品を異なる発光パターンで発光させるためのコントローラを有することを特徴とする請求項１〜請求項４のいずれかに記載の遊技媒体収容箱用電飾装置。
【請求項６】
前記先端側構成体は、表面に化粧シートを着脱自在に貼着したことを特徴とする請求項１〜請求項５のいずれかに記載の遊技媒体収容箱用電飾装置。
【発明の詳細な説明】
【技術分野】
【０００１】
本発明は、遊技機で使用する遊技媒体を収容するための遊技媒体収容箱に遊技媒体とともに基端部分を収容し、先端部分に発光部品を配設した遊技媒体収容箱用電飾装置に関するものである。
【背景技術】
【０００２】
従来より、パチンコ店ではパチンコ遊技機で遊技するために弾球を遊技媒体とし、また、パチスロ店ではパチスロ遊技機で遊技するためにコインを遊技媒体として使用しており、これらの遊技媒体が遊技者に数多く償還された場合には、各遊技場で予め用意した略箱型又は略筒型などの遊技媒体収容箱に遊技媒体を収容するようにしている。
【０００３】
しかも、近年では、遊技媒体が遊技者に数多く償還された場合に、遊技媒体収容箱に略板状の表示プレートを遊技媒体とともに挿入して、他の遊技者が表示プレートを見ることができるようにしている。
【０００４】
この表示プレートは、表面に遊技媒体が数多く償還されたことを示すような表示が印刷されており、遊技者自信に対して優越感を与えるとともに、他の遊技者に対して償還率の良好な遊技場であることを印象付けることによって、遊技者の遊技意欲を向上させために使用されている。
【０００５】
従来の表示プレートは、プラスチック板製のものが多く使用されていたが、最近では、先端部分の表面にＬＥＤを取付けて、より一層目立つように構成したものが使用されるようになってきている（たとえば、特許文献１参照。）。
【０００６】
この表示プレートは、円板状の先端部分の表面にＬＥＤを取付けるとともに、先端部分の裏面に電池を取付け、さらには、この先端部分の基端に、遊技媒体収容箱に遊技媒体とともに挿入するための矩形板状の基端部分を一体的に連設していた。
【特許文献１】実用新案登録第３１０３１７１号公報
【発明の開示】
【発明が解決しようとする課題】
【０００７】
ところが、上記従来のＬＥＤを取付けた表示プレートは、先端部分と基端部分とが一体的に構成されているために、先端部分或いは基端部分のいずれかが損傷したり破損した場合に、表示プレートそのものを破棄しなければならず、使い勝手が悪く、また、コストも増大していた。
【０００８】
しかも、従来の表示プレートは、先端部分に重量物である電池を取付けた構造となっているために、基端部分に比べて先端部分が重くなってしまい、遊技媒体収容箱に収容した状態が不安定なものとなっており、遊技媒体収容箱の内部側或いは外部側に倒れやすく、遊技者に表示プレートの表面を見栄えよく見せることができなかった。
【課題を解決するための手段】
【０００９】
そこで、請求項１に係る本発明では、遊技機で使用する遊技媒体を収容するための遊技媒体収容箱に遊技媒体とともに基端部分を収容し、先端部分に発光部品を配設した遊技媒体収容箱用電飾装置において、前記先端部分を構成する先端側構成体と前記基端部分を構成する基端側構成体とに分離可能に構成し、前記基端側構成体の内部に前記発光部品に電源を供給するための電源部品を収容することにした。
【００１０】
また、請求項２に係る本発明では、前記請求項１に係る本発明において、前記基端側構成体は、前記電源部品を充電するための充電端子を有することにした。
【００１１】
また、請求項３に係る本発明では、前記請求項１又は請求項２に係る本発明において、前記基端側構成体は、少なくとも表面又は裏面のいずれか一方に膨出部を形成し、この膨出部に電源部品を収容することにした。
【００１２】
また、請求項４に係る本発明では、前記請求項１に係る本発明において、前記先端側構成体は、複数台の遊技機を設置した遊技機設置島に設けた挿入口に挿入できるとともに、遊技機設置島の内部に設けた電源部品と接続できるように構成することにした。
【００１３】
また、請求項５に係る本発明では、前記請求項１〜請求項４のいずれかに係る本発明において、前記先端側構成体は、表裏両面に前記発光部品を配設するとともに、表裏の発光部品を異なる発光パターンで発光させるためのコントローラを有することにした。
【００１４】
また、請求項６に係る本発明では、前記請求項を特徴とする請求項１〜請求項５のいずれかに係る本発明において、前記先端側構成体は、表面に化粧シートを着脱自在に貼着することにした。
【発明の効果】
【００１５】
そして、本発明では、以下に記載する効果を奏する。
【００１６】
すなわち、請求項１に係る本発明では、遊技機で使用する遊技媒体を収容するための遊技媒体収容箱に遊技媒体とともに基端部分を収容し、先端部分に発光部品を配設した遊技媒体収容箱用電飾装置において、先端部分を構成する先端側構成体と基端部分を構成する基端側構成体とに分離可能に構成し、基端側構成体の内部に発光部品に電源を供給するための電源部品を収容しているために、先端側構成体又は基端側構成体のいずれか一方が損傷又は破損しても、破損した一方の構成体のみを交換すればよく、電飾装置の使用に要するコストを低減することができる。
【００１７】
また、複数種類の表面模様や発光パターンの先端側構成体を用意しておくことで、複数種類の先端側構成体を交換して使用することができ、表面模様や発光パターンの異なる電飾装置を遊技者に見せることができるので、遊技者が見飽きてしまうことが無く、遊技者の関心を電飾装置に向けさせることができて、電飾装置による表示効果を増大させることができる。
【００１８】
しかも、遊技媒体収容箱の内部に挿入される基端側構成体の内部に重量の重い電源部品を収容しているために、電飾装置の重心の位置が低くなり、遊技媒体収容箱の内部に電飾装置を安定して挿入しておくことができるので、電飾装置が傾倒してしまうのを未然に防止することができ、遊技者に見栄えよく電飾装置をみせることができて、これによっても電飾装置による表示効果を増大させることができる。
【００１９】
また、請求項２に係る本発明では、基端側構成体に電源部品を充電するための充電端子を設けているために、基端側構成体単体で電源部品の充電を行うことができ、電飾装置の使い勝手を向上させることができる。
【００２０】
また、請求項３に係る本発明では、基端側構成体の少なくとも表面又は裏面のいずれか一方に膨出部を形成し、この膨出部に電源部品を収容しているために、遊技媒体収容箱の内部に電飾装置を収容した際に、膨出部の上側に遊技媒体が乗り上げることになり、遊技媒体によって膨出部が押さえつけられることになるので、より一層電飾装置を安定して遊技媒体収容箱の内部に挿入しておくことができ、電飾装置が傾倒してしまうのを未然に防止することができ、遊技者に見栄えよく電飾装置をみせることができて、電飾装置による表示効果を増大させることができる。
【００２１】
また、請求項４に係る本発明では、複数台の遊技機を設置した遊技機設置島に設けた挿入口に先端側構成体を挿入できるようにするとともに、遊技機設置島の内部に設けた電源部品と先端側構成体とを接続できるように構成しているために、基端側構成体から分離した先端側構成体を遊技機設置島での電飾装置として兼用することができ、電飾装置の使用に要するコストを低減することができる。
【００２２】
また、請求項５に係る本発明では、先端側構成体の表裏両面に発光部品を配設するとともに、表裏の発光部品を異なる発光パターンで発光させるためのコントローラを有しているために、電飾装置の表裏において異なった発光パターンで電飾表示することができ、遊技者の関心を電飾装置に向けさせることができて、電飾装置による表示効果を増大させることができる。
【００２３】
また、請求項６に係る本発明では、先端側構成体の表面に化粧シートを着脱自在に貼着しているために、化粧シートを交換することによって電飾装置の表示内容を容易に変更することができるので、これによっても遊技者が見飽きてしまうことが無くなり、遊技者の関心を電飾装置に向けさせることができて、電飾装置による表示効果を増大させることができる。
【発明を実施するための最良の形態】
【００２４】
以下に、本発明に係る遊技媒体収容箱用電飾装置の具体的な構造について図面を参照しながら説明する。
【００２５】
図１に示すように、本発明に係る遊技媒体収容箱用電飾装置１は、パチンコ店やパチスロ店などの遊技場において、遊技者に遊技媒体２が数多く償還された場合に、遊技媒体２を収容した遊技媒体収容箱３の内部に遊技媒体２とともに基端部分を収容し、先端部分を遊技者が目視できるようにして使用されるものである。
【００２６】
ここで、遊技媒体とは、遊技機で使用する媒体であり、たとえば、パチンコ店ではパチンコ遊技機で遊技するために使用される弾球であり、パチスロ店ではパチスロ遊技機で遊技するために使用されるコインである。また、遊技媒体収容箱とは、遊技場で予め用意した略箱型又は略筒型などの遊技媒体を収容するために使用される箱である。
【００２７】
遊技媒体収容箱用電飾装置１は、図１〜図４に示すように、略半円板状の先端側構成体４と略矩形板状の基端側構成体５とからなり、これら先端側構成体４と基端側構成体５とに分離することができるように構成している。
【００２８】
このように、遊技媒体収容箱用電飾装置１は、先端側構成体４と基端側構成体５とに分離可能に構成しているために、先端側構成体４又は基端側構成体５のいずれか一方が損傷又は破損しても、破損した一方の構成体のみを交換すればよく、遊技媒体収容箱用電飾装置１の使用に要するコストを低減することができるようになっている。
【００２９】
また、遊技媒体収容箱用電飾装置１は、先端側構成体４と基端側構成体５とに分離可能に構成しているために、複数種類の表面模様や発光パターンの先端側構成体４を用意しておくことで、複数種類の先端側構成体４を交換して使用することができ、表面模様や発光パターンの異なる遊技媒体収容箱用電飾装置１を遊技者に見せることができるので、遊技者が見飽きてしまうことが無く、遊技者の関心を遊技媒体収容箱用電飾装置１に向けさせることができて、遊技媒体収容箱用電飾装置１による表示効果を増大させることができるようになっている。
【００３０】
そして、図５及び図６に示すように、先端側構成体４は、内部に発光部品としての９個のＬＥＤ６を収容しており、一方、基端側構成体５は、内部に発光部品に電源を供給するための電源部品としての４個の充電池７を収容している。
【００３１】
このように、遊技媒体収容箱用電飾装置１は、遊技媒体収容箱３の内部に挿入される基端側構成体５の内部に重量の重い電源部品を収容しているために、遊技媒体収容箱用電飾装置１の重心の位置が低くなり、遊技媒体収容箱３の内部に遊技媒体収容箱用電飾装置１を安定して挿入しておくことができるので、遊技媒体収容箱用電飾装置１が傾倒してしまうのを未然に防止することができ、遊技者に見栄えよく遊技媒体収容箱用電飾装置１をみせることができて、これによっても遊技媒体収容箱用電飾装置１による表示効果を増大させることができる。
【００３２】
以下に、先端側構成体４及び基端側構成体５の具体的な構造について説明する。
【００３３】
まず、先端側構成体４の構造について説明すると、先端側構成体４は、表側カバー８と裏側カバー９との間にプリント配線基板10を装着している。
【００３４】
これらの表側カバー８と裏側カバー９とプリント配線基板10は、上部を略半円板状に形成する一方、下部を上部よりの細幅の略矩形板状に形成しており、プリント配線基板10の下端部を表裏側カバー8,9の下端部よりも下方に伸延させ、プリント配線基板10の下端部両面に形成した電源端子11,12を外部に露出させている。
【００３５】
また、表側カバー８と裏側カバー９は、上部に９個の円形の貫通孔13を同心円弧上に間隔をあけて形成し、各貫通孔13に透明の保護カバー14を嵌着している。
【００３６】
さらに、表側カバー８と裏側カバー９は、表面に化粧シート15を軟接着力の接着剤で着脱可能に貼着している。
【００３７】
このように、先端側構成体４は、表面に化粧シート15を着脱自在に貼着しているために、化粧シート15を交換することによって遊技媒体収容箱用電飾装置１の表示内容を容易に変更することができるので、これによっても遊技者が見飽きてしまうことが無くなり、遊技者の関心を遊技媒体収容箱用電飾装置１に向けさせることができて、遊技媒体収容箱用電飾装置１による表示効果を増大させることができる。
【００３８】
一方、プリント配線基板10は、上部表裏面に９個のＬＥＤ６を表裏側カバー8,9に穿設した貫通孔13と対向させて同心円弧上に間隔をあけて実装するとともに、下部表面に表裏のＬＥＤ６をそれぞれ異なる発光パターンで発光させるためのコントローラとしてのＩＣ16を実装し、さらには、下部右側表裏面に電源端子11,12を銅箔パターンで形成している。ここで、発光パターンとは、９個のＬＥＤ６を同時又は順番に発光させるパターンのことであり、たとえば、右側のＬＥＤ６から左側のＬＥＤ６へと順に発光させたり、９個のＬＥＤ６を同時に発光させたりすることを指している。
【００３９】
このように、遊技媒体収容箱用電飾装置１は、先端側構成体４の表裏両面に発光部品を配設するとともに、表裏の発光部品を異なる発光パターンで発光させるためのコントローラを有しているために、遊技媒体収容箱用電飾装置１の表裏において異なった発光パターンで電飾表示することができ、遊技者の関心を遊技媒体収容箱用電飾装置１に向けさせることができて、遊技媒体収容箱用電飾装置１による表示効果を増大させることができる。
【００４０】
次に、基端側構成体５の構造について説明すると、基端側構成体５は、略矩形状の表側カバー17と裏側カバー18との間に略矩形板状のプリント配線基板19を装着している。
【００４１】
表側カバー17と裏側カバー18は、上端部に先端側構成体４の表裏側カバー8,9の下端部内側に係入する係入爪20,21を矩形枠状に形成している。
【００４２】
一方、プリント配線基板19は、表面右側上部に側面視で略Ｙ型クリップ状の電源端子22,23を実装するとともに、表面右側下部に略矩形箱型状の充電端子24を実装し、さらには、表面に４個の充電池７を実装している。
【００４３】
この充電端子24は、基端側構成体５の右側面に露出しており、外部から充電池７を充電できるようになっている。
【００４４】
このように、遊技媒体収容箱用電飾装置１は、基端側構成体５に電源部品を充電するための充電端子24を設けているために、基端側構成体単体で電源部品の充電を行うことができ、遊技媒体収容箱用電飾装置１の使い勝手を向上させることができるようになっている。
【００４５】
そして、遊技媒体収容箱用電飾装置１は、基端側構成体５の上端部に先端側構成体４の下端部が挿入されると、基端側構成体５の係入爪20,21によって先端側構成体４を強固に連結するとともに、先端側構成体４のプリント配線基板10が基端側構成体５の電源端子22,23に挟持され、先端側構成体４の電源端子11,12と基端側構成体５の電源端子22,23とが接触し、これによって、充電池７から電源端子11,12,22,23を介してＬＥＤ６とＩＣ16とに電源が供給され、それに伴って、表裏の９個のＬＥＤ６がＩＣ16の制御に基づいて点灯する。
【００４６】
遊技媒体収容箱用電飾装置１は、以上に説明したような構造となっている。そして、通常においては基端側構成体５に先端側構成体４を装着した状態で使用されるが、先端側構成体４は、基端側構成体５から分離して、単独で使用することができるようにすることもできる。
【００４７】
すなわち、図７〜図９に示すように、先端側構成体４は、複数台の遊技機25を並べて設置した遊技機設置島26の上部（遊技機25の右上方位置）に形成した装着部27に装着して使用することもできる。
【００４８】
この装着部27は、左側に遊技媒体収容箱用電飾装置１の先端側構成体４を装着する挿入口28を形成するとともに、右側に従来の表示プレートを装着する挿入口29を形成している。
【００４９】
挿入口28は、内部に上述した基端側構成体５と略同様の構造の電源供給ユニット30が装着されている。
【００５０】
そして、遊技機設置島26は、装着部27の電源ユニット30の先端部に先端側構成体４の基端部が挿入されると、電源ユニット30に形成した係入爪31,32によって先端側構成体４を強固に連結するとともに、先端側構成体４のプリント配線基板10が電源ユニット30に設けた電源端子33,34に挟持され、先端側構成体４の電源端子11,12と電源ユニット30の電源端子33,34とが接触し、これによって、電源ユニット30に内蔵した充電池35から電源端子11,12,33,34を介してＬＥＤ６とＩＣ16とに電源が供給され、それに伴って、表裏の９個のＬＥＤ６がＩＣ16の制御に基づいて点灯する。
【００５１】
このように、遊技媒体収容箱用電飾装置１は、複数台の遊技機25を設置した遊技機設置島26に設けた挿入口28に先端側構成体４を挿入できるようにするとともに、遊技機設置島26の内部に設けた電源部品と先端側構成体４とを接続できるように構成しているために、基端側構成体５から分離した先端側構成体４を遊技機設置島26での電飾装置として兼用することができ、電飾装置の使用に要するコストを低減することができるようになっている。
【００５２】
また、図10に示す遊技媒体収容箱用電飾装置1'では、基端側構成体５の下端部表裏面を側面視で略半円弧状に膨出させることによって膨出部36,37を形成し、この膨出部36,37の内部に電源部品としての乾電池38を収容している。
【００５３】
このように、遊技媒体収容箱用電飾装置1'は、基端側構成体５の少なくとも表面又は裏面のいずれか一方に膨出部36,37を形成し、この膨出部36,37に電源部品を収容することによって、図10に示すように、遊技媒体収容箱３の内部に遊技媒体収容箱用電飾装置1'を収容した際に、膨出部36,37の上側に遊技媒体２が乗り上げることになり、遊技媒体２によって膨出部36,37が押さえつけられることになるので、より一層遊技媒体収容箱用電飾装置1'を安定して遊技媒体収容箱３の内部に挿入しておくことができ、遊技媒体収容箱用電飾装置1'が傾倒してしまうのを未然に防止することができ、遊技者に見栄えよく遊技媒体収容箱用電飾装置1'をみせることができて、遊技媒体収容箱用電飾装置1'による表示効果を増大させることができるようになっている。
【図面の簡単な説明】
【００５４】
【図１】本発明に係る遊技媒体収容箱用電飾装置の使用状態を示す斜視図。
【図２】遊技媒体収容箱用電飾装置を示す正面図。
【図３】同側面図。
【図４】遊技媒体収容箱用電飾装置の先端側構成体と基端側構成体とを分離した状態を示す正面図。
【図５】遊技媒体収容箱用電飾装置を示す一部切欠正面図。
【図６】同側面断面図。
【図７】遊技機設置島を示す正面図。
【図８】遊技機設置島の装着部を示す正面図。
【図９】同側面断面図。
【図１０】他の遊技媒体収容箱用電飾装置を示す側面図。
【符号の説明】
【００５５】
1,1'  遊技媒体収容箱用電飾装置            ２  遊技媒体
３  遊技媒体収容箱                        ４  先端側構成体
５  基端側構成体                          ６  ＬＥＤ
７  充電池                                ８  表側カバー
９  裏側カバー                            10  プリント配線基板
11,12  電源端子                           13  貫通孔
14  保護カバー                            15  化粧シート
16  ＩＣ                                  17  表側カバー
18  裏側カバー                            19  プリント配線基板
20,21  係入爪                             22,23  電源端子
24  充電端子                              25  遊技機
26  遊技機設置島                          27  装着部
28  挿入口                                29  挿入口
30  電源供給ユニット                      31,32  係入爪
33,34  電源端子                           35,36  充電池
37,38  膨出部                             39  乾電池
【図１】
2006181234.tif 000003
【図２】
2006181234.tif 000004
【図３】
2006181234.tif 000005
【図４】
2006181234.tif 000006
【図５】
2006181234.tif 000007
【図６】
2006181234.tif 000008
【図７】
2006181234.tif 000009
【図８】
2006181234.tif 000010
【図９】
2006181234.tif 000011
【図１０】
2006181234.tif 000012